(57)【要約】【課題】系統安定化装置における検証作業の効率化、演算試験時の入力データの設定作業、及び演算結果記録作業の効率化、試験成績書保管場所の省スペース化、試験結果記録時の誤記防止、同一試験ケース実施時の試験効率化。【解決手段】電力系統に設置され当該電力系統を安定化制御する系統安定化装置の実機と同じ演算処理プログラムＳ２をパーソナルコンピュータＰＣに搭載し、所定の電力系統状態の情報を演算入力データとして設定する設定機能Ｍ１〜Ｍ３及び前記演算処理プログラムを起動できる起動機能を前記パーソナルコンピュータに設け、前記パーソナルコンピュータ上で前記起動機能により前記パーソナルコンピュータの演算処理プログラムを起動し、前記所定の電力系統状態の情報の演算入力データに対応して前記パーソナルコンピュータの前記演算処理プログラムが所定の演算処理動作をするか検証する系統安定化装置の検証方法。【選択図】　　　　図２
2004015937.tif 000002
【特許請求の範囲】
【請求項１】
電力系統に設置され当該電力系統を安定化制御する系統安定化装置の実機と同じ演算処理プログラムをパーソナルコンピュータに搭載し、所定の電力系統状態の情報を演算入力データとして設定する設定機能、及び前記演算処理プログラムを起動できる起動機能を前記パーソナルコンピュータに設け、前記パーソナルコンピュータ上で前記起動機能により前記パーソナルコンピュータの演算処理プログラムを起動し、前記所定の電力系統状態の情報の演算入力データに対応して前記パーソナルコンピュータの前記演算処理プログラムが所定の演算処理動作をするか検証する系統安定化装置の検証方法。
【請求項２】
電力系統を安定化制御する系統安定化装置の演算処理プログラムをパーソナルコンピュータに搭載し、所定の電力系統状態の情報を演算入力データとして設定する設定機能、及び前記演算処理プログラムを起動できる起動機能を前記パーソナルコンピュータに設け、前記パーソナルコンピュータ上で前記起動機能により前記パーソナルコンピュータの演算処理プログラムを起動し前記所定の電力系統状態の情報の演算入力データに対応して前記パーソナルコンピュータの前記演算処理プログラムが所定の演算処理動作をするか検証し、前記検証済みの演算処理プログラムを、電力系統に設置され当該電力系統を安定化制御する系統安定化装置の実機に搭載する系統安定化装置の検証方法。
【請求項３】
請求項１及び請求項２の何れか一に記載の系統安定化装置の検証方法において、前記検証操作の操作釦を前記パーソナルコンピュータの表示画面に表示させる検証操作釦表示機能を設け、前記表示画面の前記検証操作釦を操作することにより前記検証を実行することを特徴とする系統安定化装置の検証方法。
【請求項４】
請求項１〜請求項３の何れか一に記載の系統安定化装置の検証方法において、前記検証結果を前記パーソナルコンピュータの表示画面に所定のフォ−マットで表示させることを特徴とする系統安定化装置の検証方法。
【請求項５】
請求項１〜請求項４の何れか一に記載の系統安定化装置の検証方法において、前記演算入力データ、前記パーソナルコンピュータの前記演算処理プログラムによる演算結果、及び前記パーソナルコンピュータの前記演算処理プログラムによる演算途中結果を、試験記録として保存するデータファイルを作成するデータファイル作成機能と、前記データファイルの内容を出力する出力機能とを設け、前記演算入力データ、前記パーソナルコンピュータの前記演算処理プログラムによる演算結果、及び前記パーソナルコンピュータの前記演算処理プログラムによる演算途中結果を、試験記録として保存している前記データファイルの内容を、前記出力機能により所定フォ−マットで出力することを特徴とする系統安定化装置の検証方法。
【請求項６】
請求項５に記載の系統安定化装置の検証方法において、前記検証が複数ケ−スある場合、ケ−ス毎に前記デ−タファイルを作成することを特徴とする系統安定化装置の検証方法。
【請求項７】
請求項５、及び請求項６の何れか一に記載の系統安定化装置の検証方法において、前記デ−タファイルを任意に読み込み、前記表示画面に表示し、前記パーソナルコンピュータの前記演算処理プログラムを起動することをことを特徴とする系統安定化装置の検証方法。
【請求項８】
請求項１〜請求項７の何れか一に記載の系統安定化装置の検証方法において、前記電力系統に設置され当該電力系統を安定化制御する系統安定化装置の実機に収録された実際の電力系統の状態情報を、前記パーソナルコンピュータに吸い上げて前記デ−タファイルを作成することを特徴とする系統安定化装置の検証方法。
【請求項９】
電力系統を安定化制御する系統安定化装置の実機と同じ演算処理プログラムが搭載され所定の電力系統状態の情報を演算入力データとして設定する設定機能、及び前記演算処理プログラムを起動できる起動機能が設けられ前記演算処理プログラムが前記起動機能により起動されると前記演算入力データに対応して前記演算処理プログラムが所定の演算処理動作をするパーソナルコンピュータ、前記パーソナルコンピュータの前記演算処理プログラムによる前記所定の演算処理の結果、及び演算途中結果を所定フォ−マットで画面表示する表示装置、及び前記パーソナルコンピュータの前記演算処理プログラムによる前記所定の演算処理の結果、及び演算途中結果を所定フォ−マットで印刷するプリンタを備えた系統安定化装置の検証装置。
【発明の詳細な説明】
【０００１】
【発明の属する技術分野】
この発明は、電力系統における系統安定化装置の検証方法、特に系統安定化装置の演算処理プログラムの検証方法、及び系統安定化装置の検証装置、特に系統安定化装置の演算処理プログラムの検証装置に関するものである。
【０００２】
【従来の技術】
従来の電力系統における系統安定化装置の検証方法及び系統安定化装置の検証装置としては、例えば特開２００２−１０４９３号公報に記載のものがある。この特開２００２−１０４９３号公報に記載のものを図１１〜図１４に示してある。図１１は従来の系統安定化装置に適用されるディジタルリレーの一般的なハードウェア構成を示すブロック図、図１２は従来の系統安定化装置に搭載されるソフトウェア処理ブロック図、図１３は動作を示すフローチャート、図１４は従来の系統安定化装置の演算処理プログラムの演算試験（検証）の手順を示すフローチャートである。
【０００３】
図１１において、３１ａ，３１ｂは保護対象となる電力系統の電圧及び電流を入力する入力トランス、３２ａ，３２ｂはフィルタ、３３は電圧・電流データを所定の周期でサンプリングするためのサンプリングホールド回路、３４はマルチプレクサ、３５はＡ／Ｄ変換器で、前記サンプリングホールド回路３３でサンプリングした電圧・電流を前記マルチプレクサ３４を介して入力し当該入力をアナログ−ディジタル変換する。３６はＤＭＡ（Ｄｉｒｅｃｔ　Ｍｅｍｏｒｙ　Ａｃｃｅｓｓ）回路で、前記アナログ−ディジタル変換された電圧・電流データを、後述のＣＰＵ４３を介さずに直接ＲＡＭ３７に書き込む。
【０００４】
３８はリレ−や子局等の端末装置から送信される事故検出信号等を受信する通信装置、３９はこの通信装置３８の受信データをディジタル値として取り込む通信インタフェース、４０は運用・保守スイッチ４１の接点情報を取り込むディジタル入力回路（ＤＩ回路）である。前記ＲＡＭ３７は、前記Ａ／Ｄ変換器３５、通信インタフェース３９、及び前記ＤＩ回路４０からの入力データを記憶する。４２はプログラムを記憶するＲＯＭ、４３は入力データに基づいて安定化演算を行うＣＰＵ、４４は想定する系統事故が発生した場合、演算結果に基づき、電力系統構成機器へ系統安定化に向けた制御出力を出す出力回路である。
【０００５】
次に、従来の系統安定化装置に搭載されるソフトウェア処理ブロック図を示す図１２、動作を示すフローチャートである図１３を使って、以下に動作について説明する。図１２において、入力処理４５は、一定周期毎に実際の電力系統から計器用変成器Ａ及び計器用変流器Ｂを介して取込まれるアナログ入力データ４６、端末装置からの通信入力データ４７、及び装置の各種運用、保守スイッチの状態を接点入力データ４８として、エリアＡに保存する。一方、事故発生前の定常的な前記入力情報と同等のデータ内容を、固定値としてエリアＢに持たせる。これらのデータに対し、図１３のフローチャートに基づき処理を行う。
【０００６】
図１３において、ステップ２００にて入力切替スイッチ５０（図１２）が正規入力データ側（実電力系統からの入力データ側）を選択しているかを確認する。前記スイッチ５０が正規入力データ側を選択している場合、ステップ２０１に移行し、正規入力データ（エリアＡに収録されている）を入力データとして使用する。逆に前記スイッチ５０が模擬データ側を選択している場合は、ステップ２０２に移行し、模擬データ（エリアＢに収録されている）を入力データとして使用する。ステップ２０３にて、入力データに基づき想定する系統事故が発生した場合の最適制御内容を演算し、その結果を記憶する。この演算は、想定される系統事故が検出されるまで、一定周期で繰り返し行われる。
【０００７】
端末装置からの通信入力データ４７により、ステップ２０４で系統事故が発生したかどうかを判定し、事故が発生した場合、ステップ２０５に移行する。ステップ２０５では、事前演算にて記憶した最適制御内容に基づき電力系統構成機器へ系統安定化に向けた制御出力を出す。尚、模擬データを記憶するエリアＢは、ディジタルリレーのメンテナンス装置（パーソナルコンピュータ）によって任意の値に書き替え可能である。このように、従来の演算試験は系統安定化装置に組み込まれた模擬データ設定機能を用いて行い、図１４のフローチャートに基づく手順にて演算試験を行う。
【０００８】
ステップ３００で、入力切替スイッチ５０（図１２）を模擬データ側に設定する。ステップ３０１では、メンテナンス装置（パーソナルコンピュータ）より、系統安定化装置の内部メモリに対し入力データを設定する。ステップ３０２で全データが正しく設定されたかを確認する。再設定必要な場合は、再設定を行う。全データが正しく設定されていることが確認できたら、ステップ３０３に移行し、系統安定化装置の演算結果表示モニタより演算結果を試験成績書に記録する。ステップ３０４にて演算結果の良否判定を行う。ステップ３０５で、次の試験ケースに移行し、次の試験ケースにおいて、前述と同様にステップ３０１〜３０５を実行し、更に多数の試験ケ−スがある場合は、それらの試験ケ−スが完了するまで、前記ステップ３０１〜３０５の実行を繰り返し行う。
【０００９】
【発明が解決しようとする課題】
従来の系統安定化装置の演算機能試験は、以上のように行われていたため、試験を実施する場合、ケース毎に大量の入力データを系統安定化装置にマニュアルにて設定する必要があった。この入力データはデータの羅列であり、データの種類が人間系で判断しにくいものであった。また、試験を行うには実機１台にて行う必要があり、試験ケースをシリースに実施するため試験期間をいかに短縮するかが課題であった。また、現地での演算アルゴリズム改造時において、試験環境の関係上、工場で事前に演算試験を行うことができない場合があった。
【００１０】
演算試験ケースは、アルゴリズムによって異なるが、１００ケースを越える場合があり、試験成績書の保管において省スペース化を図る必要があった。
【００１１】
不具合発生時の原因特定のための再現試験や、不具合改修後の再試験で、同一ケースを何度も試験する場合、１回目の試験と同等の時間が必要とされた。また、演算結果においては、表示モニタを確認し試験成績書に記録する必要があった。このため、演算結果の記録に多くの時間が必要とされ、成績書へ転記する際、誤記等の恐れがあった。
【００１２】
この発明は前述のような従来の実情に鑑みてなされたもので、系統安定化装置の検証効率の向上を主目的とし、また、演算試験時の入力データ設定作業の効率化、演算結果記録作業の効率化、試験成績書保管場所の省スペース化、試験結果記録時の誤記防止、同一試験ケース実施時の試験効率化、等を目的とするものである。
【００１３】
【課題を解決するための手段】
この発明の請求項１に係る系統安定化装置の検証方法は、電力系統に設置され当該電力系統を安定化制御する系統安定化装置の実機と同じ演算処理プログラムをパーソナルコンピュータに搭載し、所定の電力系統状態の情報を演算入力データとして設定する設定機能、及び前記演算処理プログラムを起動できる起動機能を前記パーソナルコンピュータに設け、前記パーソナルコンピュータ上で前記起動機能により前記パーソナルコンピュータの演算処理プログラムを起動し、前記所定の電力系統状態の情報の演算入力データに対応して前記パーソナルコンピュータの前記演算処理プログラムが所定の演算処理動作をするか検証する系統安定化装置の検証方法である。
【００１４】
この発明の請求項２に係る系統安定化装置の検証方法は、電力系統を安定化制御する系統安定化装置の演算処理プログラムをパーソナルコンピュータに搭載し、所定の電力系統状態の情報を演算入力データとして設定する設定機能、及び前記演算処理プログラムを起動できる起動機能を前記パーソナルコンピュータに設け、前記パーソナルコンピュータ上で前記起動機能により前記パーソナルコンピュータの演算処理プログラムを起動し前記所定の電力系統状態の情報の演算入力データに対応して前記パーソナルコンピュータの前記演算処理プログラムが所定の演算処理動作をするか検証し、前記検証済みの演算処理プログラムを、電力系統に設置され当該電力系統を安定化制御する系統安定化装置の実機に搭載する系統安定化装置の検証方法である。
【００１５】
この発明の請求項３に係る系統安定化装置の検証方法は、請求項１及び請求項２の何れか一に記載の系統安定化装置の検証方法において、前記検証操作の操作釦を前記パーソナルコンピュータの表示画面に表示させる検証操作釦表示機能を設け、前記表示画面の前記検証操作釦を操作することにより前記検証を実行する系統安定化装置の検証方法である。
【００１６】
この発明の請求項４に係る系統安定化装置の検証方法は、請求項１〜請求項３の何れか一に記載の系統安定化装置の検証方法において、前記検証結果を前記パーソナルコンピュータの表示画面に所定のフォ−マットで表示させる系統安定化装置の検証方法である。
【００１７】
この発明の請求項５に係る系統安定化装置の検証方法は、請求項１〜請求項４の何れか一に記載の系統安定化装置の検証方法において、前記演算入力データ、前記パーソナルコンピュータの前記演算処理プログラムによる演算結果、及び前記パーソナルコンピュータの前記演算処理プログラムによる演算途中結果を、試験記録として保存するデータファイルを作成するデータファイル作成機能と、前記データファイルの内容を出力する出力機能とを設け、前記演算入力データ、前記パーソナルコンピュータの前記演算処理プログラムによる演算結果、及び前記パーソナルコンピュータの前記演算処理プログラムによる演算途中結果を、試験記録として保存している前記データファイルの内容を、前記出力機能により所定フォ−マットで出力する系統安定化装置の検証方法である。
【００１８】
この発明の請求項６に係る系統安定化装置の検証方法は、請求項５に記載の系統安定化装置の検証方法において、前記検証が複数ケ−スある場合、ケ−ス毎に前記デ−タファイルを作成する系統安定化装置の検証方法である。
【００１９】
この発明の請求項７に係る系統安定化装置の検証方法は、請求項５、及び請求項６の何れか一に記載の系統安定化装置の検証方法において、前記デ−タファイルを、任意に、読み込み、前記表示画面に表示し、前記パーソナルコンピュータの前記演算処理プログラムを起動する系統安定化装置の検証方法である。
【００２０】
この発明の請求項８に係る系統安定化装置の検証方法は、請求項１〜請求項７の何れか一に記載の系統安定化装置の検証方法において、前記電力系統に設置され当該電力系統を安定化制御する系統安定化装置の実機に収録された実際の電力系統の状態情報を、前記パーソナルコンピュータに吸い上げて前記デ−タファイルを作成する系統安定化装置の検証方法である。
【００２１】
この発明の請求項９に係る系統安定化装置の検証装置は、電力系統を安定化制御する系統安定化装置の実機と同じ演算処理プログラムが搭載され所定の電力系統状態の情報を演算入力データとして設定する設定機能、及び前記演算処理プログラムを起動できる起動機能が設けられ前記演算処理プログラムが前記起動機能により起動されると前記演算入力データに対応して前記演算処理プログラムが所定の演算処理動作をするパーソナルコンピュータ、前記パーソナルコンピュータの前記演算処理プログラムによる前記所定の演算処理の結果、及び演算途中結果を所定フォ−マットで画面表示する表示装置、及び前記パーソナルコンピュータの前記演算処理プログラムによる前記所定の演算処理の結果、及び演算途中結果を所定フォ−マットで印刷するプリンタを備えたものである。
【００２２】
【発明の実施の形態】
実施の形態１．
図１〜図４はこの発明の一実施形態を示す図で、図１はパーソナルコンピュータの一般的なハードウェア構成の一例を示す構成図、図２はソフトウェア構成の一例を示す構成図、図３は演算試験の手順の一例を示すフローチャート図、図４は演算プログラム実行時の操作画面の一例を示す画面構成図である。
【００２３】
パーソナルコンピュータＰＣの一般的なハードウェア構成の一例を示す図１において、ＰＣはパーソナルコンピュータ、１は演算を行うＣＰＵ、２はメモリで、プログラム、データ等を記憶する。３はハードディスクで、ＯＳ（オペレーティングシステム），各種アプリケーションソフトウェア，電力系統安定化装置の演算処理プログラム，及びデータを保存する。４はフレキシブルディスクドライブ、５は表示用の液晶画面を有する表示装置、６は画面操作用のキーボードとマウス、７はプリンタ８に印字出力を行うインタフェースである。
【００２４】
次に、ソフトウェア構成を示す図２、及び演算試験（検証）の手順を示す図３によって、試験手順について説明する。図２において、事故発生前の各種入力データを設定する設定画面を市販の汎用の表計算ソフトウェアＳ１で作成する。市販の表計算ソフトウェアＳ１で作成する前記設定画面は、例えば図示のように、電力系統のアナログ入力データの設定画面Ｍ１、端末装置からの通信入力データ設定画面Ｍ２、運用・保守スイッチ入力データ、及び整定データの設定画面Ｍ３、演算処理実行後の演算結果表示画面Ｍ４、演算途中結果表示画面Ｍ５の画面構成とし、表計算形式のファイル（マスタ−ファイル）Ｆ４を作成する。
【００２５】
これらの設定画面Ｍ１〜Ｍ５は、前述の従来装置のようなデータの羅列として作成するのではなく、各データの固有名称と各設定欄とを対応づけて作成し、また各データの固有名称と演算結果欄とを対応づけて作成する。また、市販の汎用の表計算ソフトウェアＳ１で実現するため、系統安定化装置のモニタ表示に比べ設定画面Ｍ１〜Ｍ５の視認性が良く、安価に実現できる。
【００２６】
一方、従来は系統安定化装置の実機で行っていた系統安定化演算の処理を、パーソナルコンピュータ上で起動可能なように移植した系統安定化演算プログラムＳ２でパーソナルコンピュータ上で実行するようにし、電力系統の安定化対象となる系統状態情報である入力データとして、前記各画面Ｍ１〜Ｍ５で設定したデータをパーソナルコンピュータ上にファイルとして生成する。
【００２７】
前記各画面Ｍ１〜Ｍ５で設定した各データに基づいて生成されるパーソナルコンピュータ上のファイルは、例えば図示のように、アナログ入力データファイルＦ１、通信入力データファイルＦ２、及び運用・保守スイッチ情報・整定データのファイルＦ３から構成する。これら各ファイルＦ１〜Ｆ３のデータ構造体は、系統安定化装置の実機の演算処理の入力部の構造体に合わせておき、系統安定化装置の実機における演算処理プログラムの実行時とパーソナルコンピュータ上の演算処理プログラムの実行時とで等価な演算処理が行われるようにしてある。
【００２８】
次いで、前述のパーソナルコンピュータによる電力系統安定化装置の演算試験は、図３のフローチャートに基づく手順にて行う。即ち、先ずステップ１００にて表計算ソフトウェアＳ１を起動する。ステップ１０１にて設定・表示用マスタファイルＦ４を読み込む。ステップ１０２，１０３でアナログ入力データの設定画面Ｍ１を表示装置５の画面に表示し、パーソナルコンピュータのキーボード６によってデータを設定する。同様にして前記各ステップ１０４，１０５，１０６，１０７で通信入力データ、スイッチ情報、整定データを設定する。
【００２９】
ステップ１０８で全データが正しく設定されたかをパーソナルコンピュータの表示装置５の画面で確認する。再設定必要な場合は、前記各設定画面Ｍ１〜Ｍ３で再設定を行う。全データが正しく設定されていることがパーソナルコンピュータの表示装置５の画面で確認できたらステップ１０９に移行し、系統安定化装置の演算処理プログラムを搭載したパーソナルコンピュータ上で、当該パーソナルコンピュータのハ−ドディスク３やメモリ２に搭載の演算処理プログラムを実行する。
【００３０】
この演算処理プログラムの実行時の操作画面例を図４に示す。図４の画面上の演算開始釦１０にカ−ソルを当ててクリックする等の操作をすることにより、任意に、当該パーソナルコンピュータに搭載の演算処理プログラムの演算起動が可能である。前述の従来の系統安定化装置の実機で演算確認を実施する場合は、一定周期毎に同一演算処理を繰り返し実行しているが、パーソナルコンピュータ上では１回のみ演算を実行させるだけで試験確認は可能である。
【００３１】
パーソナルコンピュータ上の演算処理プログラムの演算起動時に、前記各入力データファイルＦ１〜Ｆ３を生成し、これらの入力データに基づき演算プログラムＳ２が実行される。演算プログラム処理完了後、演算結果をファイルＦ５に出力する。ステップ１１０では、これらの演算結果のファイルを読み込み、演算結果画面Ｍ４に表示させる。
【００３２】
読み込み時の操作画面例として前記図４の演算結果読込釦１１を、押下したり、カ−ソルを当ててクリックする等の操作をすることにより、演算結果ファイルＦ５より読み込み画面表示を行う。ステップ１１１にて演算結果の確認を実施し、ステップ１１２で前記演算結果の良否判定を行う。ステップ１１３で、次の試験ケースに移行する。以上の手順にて、試験ケースの数に応じて繰り返し試験を実施していく。
【００３３】
上記ように、本実施形態は、系統安定化装置の演算処理プログラムをパーソナルコンピュータに移植（搭載）し、入力データ（例えば、潮流情報、発電機運転情報、整定情報等）設定画面Ｍ１〜Ｍ３より試験入力データの設定を行い、パーソナルコンピュータ上の演算処理プログラムＳ２を起動する。起動時に前記各設定データを設定データファイルＦ１〜Ｆ３に出力し、演算処理プログラムＳ２がこれらのデータを基に演算を行う。演算処理完了時、演算結果ファイルＦ５に出力する。演算結果読み込みにて、演算結果や演算途中結果を、表示画面Ｍ４〜Ｍ５に表示を行うようにしたものである。
【００３４】
以上のように、この実施の形態１によれば、系統安定化装置の演算処理をパーソナルコンピュータに移植（搭載）し、パーソナルコンピュータ上で、系統安定化装置の演算試験を行うようにしたことにより、操作性、及び視認性が向上するため、入力データの設定や演算結果の記録作業を効率的に行うことができる。また、パーソナルコンピュータを複数台用意すれば、同時に並行して試験を実施することで、試験期間を短縮することができる。また、現地での演算アルゴリズム改造時の検証においても実機を必要とせず、現地や工場での演算試験を容易に行える。また、前述のようにしてパーソナルコンピュータで効率よく検証し、場合によって演算アルゴリズム改造した演算処理プログラムＳ２を、電力系統に設置した系統安定化装置の実機に移植（搭載）することにより、信頼性の高い演算処理プログラム実装済み実機を短期間で完成でき、電力系統における系統安定化装置の実機の稼動を早期に開始できる。
【００３５】
実施の形態２．
図５、及び図６は、この発明の実施の形態２を示す図で、図５はソフトウェア構成の一例を示す構成図、図６は演算試験の手順の一例を示すフローチャート図である。以下、前述の実施の形態１と相違する点を中心に説明する。
【００３６】
ソフトウェア構成を示す図５において、表計算ソフトウェアＳ１、入力データ設定画面、及び演算結果画面Ｍ１〜Ｍ５、系安定化装置の演算処理プログラムＳ２、設定データ等のファイルＦ１〜Ｆ５の構成は、実施の形態１と同じである。演算起動後、演算結果が反映された表計算ソフトウェアＳ１上の設定画面、及び演算結果画面を、試験実施ケースの結果として、前記他のファイルＦ１〜Ｆ５とは別に、１つのファイルＦ６として保存する機能を具備しているものである。この保存ファイルＦ６は、１ケース、１ファイルとして、図１のパーソナルコンピュータのハードディスク３、またはフレキシブルディスク４に保存される。
【００３７】
次いで、この実施の形態２の動作について図６によって説明する。図６の試験手順フロ−チャ−ト図において、前述の実施の形態１におけるステップ１００〜１１１までの手順は同一であるため説明は省略する。ステップ１１１の試験結果確認後、ステップ１１１ａにて、当該ケースの試験結果として設定データ、及び演算結果一式を、ファイル名をつけて保存する（図５のＦ６）。ファイルの保存は、市販の汎用の表計算ソフトウェアに標準的に具備される保存機能を用いて行う。以降、前述の実施の形態１の場合と同様に、ステップ１１２で演算結果の良否判定を行い、ステップ１１３で次の試験ケースに移行する。
【００３８】
前述のように、本実施形態２は、入力データ設定〜演算結果確認後、当該ケースの試験結果として入力設定データ、演算結果一式を１つのファイルとして保存するようにしたものである。
【００３９】
前述のように、本実施形態２によれば、入力設定データ、及び演算試験結果を電子ファイルとして保存可能としたことにより、膨大な試験記録の保管を電子化することができ、文書保管の省スペース化が図れる。
【００４０】
実施の形態３．
図７はこの発明の実施の形態３を示す図で、ソフトウェア構成の一例を示す。以下、前述の実施の形態２と相違する点を中心に説明する。図７において、表計算ソフトウェアＳ１、入力データ設定画面、及び演算結果画面Ｍ１〜Ｍ５、系安定化装置の演算処理プログラムＳ２、設定データ等のファイルＦ１〜Ｆ６の構成は、実施の形態２と同じであり、試験結果として保存したファイルＦ６を読み込み、任意に、演算処理プログラムＳ２を演算起動する機能を具備しているものである。
【００４１】
次いで、この実施の形態３の動作について説明する。試験手順については、前述の実施の形態２の図６と同様の手順である。例えば、演算試験を実施中、演算プログラムＳ２に不具合が発見された場合、プログラムの改修を行い、パーソナルコンピュータのハードディスクに保存されるプログラムに対し、改修版プログラムの入れ替えを行う。その後、再度当該ケースの試験を実施するが、前回試験記録として保存したファイルＦ６を、図６のステップ１０１で読み込み、前述の実施の形態２と同様の手順にて試験を実施する。ここで、図６のステップ１０２〜１０８の手順は省略される。試験実施後は、演算結果表示が更新され、ステップ１１１ａで新しい試験結果としてファイルＦ５に上書き保存する。
【００４２】
前述のように、本実施形態３は、演算プログラムに不具合が発見された場合などで、再試験を必要とする場合、当該ケースの試験結果として保存したファイルＦ６を読み込めるようにし、既に設定済みの入力データを用いて演算試験が行えるようにしたものである。
【００４３】
前述のように、本実施形態３によれば、過去に実施した試験ケースの結果を再度読み込み、演算試験を可能としたことにより、不具合発生時の原因特定のための再現試験や、不具合改修後の再試験で、入力データの再設定が不要となり、再試験での効率化が図れる。
【００４４】
実施の形態４．
図８及び図９は、この発明の実施の形態４を示す図で、図８はソフトウェア構成の一例を示す構成図、図９は演算試験の手順の一例を示すフローチャート図である。以下、前述の実施の形態３と相違する点を中心に説明する。
【００４５】
図８のソフトウェア構成において、表計算ソフトウェアＳ１、入力データ設定画面及び演算結果画面Ｍ１〜Ｍ５、系安定化装置の演算プログラムＳ２、設定データファイルＦ１〜Ｆ６の構成は、前述の実施の形態３と同じであり、演算起動後、演算結果が反映された表計算ソフトウェア上の設定画面、演算結果画面を試験実施ケースの結果として、所定フォ−マットの試験成績書Ｐ１として印刷する機能を具備しているものである。この所定フォ−マットの試験成績書Ｐ１の印刷は、図１のパーソナルコンピュータのインタフェース７を介して、プリンタ８に出力される。
【００４６】
次にこの実施の形態４の動作について説明する。図９の試験手順において、
ステップ１００〜１１１までの手順は前述の実施の形態３と同一であるため説明は省略する。ステップ１１１ａで当該試験ケースをファイルＦ６に保存した後、ステップ１１１ｂにて、試験成績書Ｐ１として、入力データ設定画面Ｍ１〜Ｍ３、演算結果画面Ｍ４〜Ｍ５の印刷を、パーソナルコンピュータのプリンタ８（図１）で行う。尚、印刷を行う画面については、所定の試験成績書に合わせた画面フォーマットを作成しておくことで、印刷をそのまま試験成績書として扱うことができる。以降、前述の実施の形態３と同様に、ステップ１１２で演算結果の良否判定を行い、ステップ１１３で次の試験ケースに移行する。
【００４７】
前述のように、本実施の形態４は、入力設定画面Ｍ１〜Ｍ３、演算結果画面Ｍ４〜Ｍ５を当該試験ケースの成績書として印刷するようにしたものである。
【００４８】
前述のように、本実施の形態４によれば、入力設定画面及び演算結果画面を、当該試験ケースの成績書として印刷するようにしたことにより、入力条件、及び試験結果を成績書に記録する必要がなくなるため、演算試験結果のデータ整理作業を省略できる。
【００４９】
実施の形態５．
図１０はこの発明の実施の形態５を示す図で、ソフトウェア構成の一例を示す。以下、前述の実施の形態４と相違する点を中心に説明する。図８のソフトウェア構成において、表計算ソフトウェアＳ１、入力データ設定画面及び演算結果画面Ｍ１〜Ｍ５、系安定化装置の演算処理プログラムＳ２、設定データ等のファイルＦ１〜Ｆ６、及び成績書Ｐ１の出力機能の構成は、前述の実施の形態４と同じである。
【００５０】
電力系統に設置された系統安定化装置の実機Ｓ３の内部メモリ（図示せず）から、実系統での入力データ及び演算結果をメンテナンス装置（パーソナルコンピュータ）ＰＣ１で吸い上げたデータをフレキシブルディスクにファイルＦ７として出力する。前記系統安定化装置の実機Ｓ３内部のデータファイルを表計算ソフトウェアにて図１のフレキシブルディスク４を介して読み込み、設定画面Ｍ１〜Ｍ３、演算結果Ｍ４〜Ｍ５に表示させる機能を具備しているものである。
【００５１】
次にこの実施の形態５の動作について説明する。例えば、系統安定化装置での試験中に不具合等が発見された場合、前記系統安定化装置の実機Ｓ１の内部メモリから入力データ、及び演算結果データを吸い上げ、フレキシブルディスクにファイルＦ７を出力する。次に、ファイルＦ７を表計算ソフトウェアＳ１にて読み込み表示を行う。尚、吸い上げデータが表計算形式のファイルと互換性がない場合は、ファイル変換プログラムを作成することにより、容易に実現できる。次に、再現試験手順としては、前述の実施の形態４の図９と同様の手順であり、説明は省略する。
【００５２】
前述のように、本実施形態５は、電力系統に設置され稼動されている系統安定化装置の実機の内部演算をパーソナルコンピュータ上で再現可能なようにする機能を具備しているものである。
【００５３】
前述のように、本実施形態５によれば、電力系統に設置され稼動されている系統安定化装置の実機上で発生した演算処理部の不具合を、パーソナルコンピュータ上で再現するようにしたことにより、再現試験の効率化を図ることができ、不具合原因の解析を効率的に行うことができる。また、パーソナルコンピュータでの解析となるため、実機では別の機能試験を進めることができる。なお、前述の実施の形態１〜５で例示する本件発明の系統安定化装置は発電・変電・送電・配電・負荷を含む系統を効率よく安定化方向に監視・制御する広義の系統安定化装置である。
【００５４】
【発明の効果】
この発明の請求項１に係る系統安定化装置の検証方法は、電力系統に設置され当該電力系統を安定化制御する系統安定化装置の実機と同じ演算処理プログラムをパーソナルコンピュータに搭載し、所定の電力系統状態の情報を演算入力データとして設定する設定機能、及び前記演算処理プログラムを起動できる起動機能を前記パーソナルコンピュータに設け、前記パーソナルコンピュータ上で前記起動機能により前記パーソナルコンピュータの演算処理プログラムを起動し、前記所定の電力系統状態の情報の演算入力データに対応して前記パーソナルコンピュータの前記演算処理プログラムが、所定の演算処理動作をするか検証する系統安定化装置の検証方法としたので、操作性、及び視認性が向上し、検証作業を効率的に行うことができる効果がある。
【００５５】
この発明の請求項２に係る系統安定化装置の検証方法は、電力系統を安定化制御する系統安定化装置の演算処理プログラムをパーソナルコンピュータに搭載し、所定の電力系統状態の情報を演算入力データとして設定する設定機能及び前記演算処理プログラムを起動できる起動機能を前記パーソナルコンピュータに設け、前記パーソナルコンピュータ上で前記起動機能により前記パーソナルコンピュータの演算処理プログラムを起動し、前記所定の電力系統状態の情報の演算入力データに対応して前記パーソナルコンピュータの前記演算処理プログラムが所定の演算処理動作をするか検証し、前記検証済みの演算処理プログラムを、電力系統に設置され当該電力系統を安定化制御する系統安定化装置の実機に搭載する系統安定化装置の検証方法としたので、パーソナルコンピュータで効率よく検証でき、場合によって演算アルゴリズム改造した演算処理プログラムを、電力系統に設置した系統安定化装置の実機に移植（搭載）することにより、信頼性の高い演算処理プログラムを実装した実機を短期間で完成でき、電力系統における系統安定化装置の実機の稼動を早期に開始できる効果がある。
【００５６】
この発明の請求項３に係る系統安定化装置の検証方法は、請求項１、及び請求項２の何れか一に記載の系統安定化装置の検証方法において、前記検証操作の操作釦を前記パーソナルコンピュータの表示画面に表示させる検証操作釦表示機能を設け、前記表示画面の前記検証操作釦を操作することにより前記検証を実行する系統安定化装置の検証方法としたので、請求項１、及び請求項２の何れか一の発明の効果に加え、操作性が向上し、検証作業をより効率的に行うことができる効果がある。
【００５７】
この発明の請求項４に係る系統安定化装置の検証方法は、請求項１〜請求項３の何れか一に記載の系統安定化装置の検証方法において、前記検証結果を前記パーソナルコンピュータの表示画面に所定のフォ−マットで表示させる系統安定化装置の検証方法としたので、請求項１〜請求項３の何れか一の発明の効果に加え、視認性が向上し、検証作業をより効率的に行うことができる効果がある。
【００５８】
この発明の請求項５に係る系統安定化装置の検証方法は、請求項１〜請求項４の何れか一に記載の系統安定化装置の検証方法において、前記演算入力データ、前記パーソナルコンピュータの前記演算処理プログラムによる演算結果、及び前記パーソナルコンピュータの前記演算処理プログラムによる演算途中結果を、試験記録として保存するデータファイルを作成するデータファイル作成機能と、前記データファイルの内容を出力する出力機能とを設け、前記演算入力データ、前記パーソナルコンピュータの前記演算処理プログラムによる演算結果、及び前記パーソナルコンピュータの前記演算処理プログラムによる演算途中結果を、試験記録として保存している前記データファイルの内容を、前記出力機能により所定フォ−マットで出力する系統安定化装置の検証方法としたので、請求項１〜請求項４の何れか一の発明の効果に加え、演算終了及び演算途中の演算結果を任意に所定フォ−マットで確認でき、視認性が向上し、検証作業を効率的に行うことができる効果がある。
【００５９】
この発明の請求項６に係る系統安定化装置の検証方法は、請求項５に記載の系統安定化装置の検証方法において、前記検証が複数ケ−スある場合、ケ−ス毎に前記デ−タファイルを作成する系統安定化装置の検証方法としたので、請求項５の発明の効果に加え、膨大な量の試験記録を整理された電子デ−タとして保管でき、試験記録の整理保管作業が容易でしかも保管スペ−スを省スペ−ス化できる効果がある。
【００６０】
この発明の請求項７に係る系統安定化装置の検証方法は、請求項５、及び請求項６の何れか一に記載の系統安定化装置の検証方法において、前記デ−タファイルを、任意に、読み込み、前記表示画面に表示し、前記パーソナルコンピュータの前記演算処理プログラムを起動する系統安定化装置の検証方法としたので、請求項５及び請求項６の何れか一に記載の発明の効果に加え、不具合発生時の原因特定のための再現試験や、不具合改修後の再試験で、入力データの再設定が不要となり、再試験での効率化を図れる効果がある。
【００６１】
この発明の請求項８に係る系統安定化装置の検証方法は、請求項１〜請求項７の何れか一に記載の系統安定化装置の検証方法において、前記電力系統に設置され当該電力系統を安定化制御する系統安定化装置の実機に収録された実際の電力系統の状態情報を、前記パーソナルコンピュータに吸い上げて前記デ−タファイルを作成する系統安定化装置の検証方法としたので、請求項１〜請求項７の何れか一の発明の効果に加え、再現試験の効率化が図ることができ、不具合原因の解析を効率的に行うことができる効果がある。
【００６２】
この発明の請求項９に係る系統安定化装置の検証装置は、電力系統を安定化制御する系統安定化装置の実機と同じ演算処理プログラムが搭載され所定の電力系統状態の情報を演算入力データとして設定する設定機能、及び前記演算処理プログラムを起動できる起動機能が設けられ前記演算処理プログラムが前記起動機能により起動されると前記演算入力データに対応して前記演算処理プログラムが所定の演算処理動作をするパーソナルコンピュータ、前記パーソナルコンピュータの前記演算処理プログラムによる前記所定の演算処理の結果、及び演算途中結果を所定フォ−マットで画面表示する表示装置、及び前記パーソナルコンピュータの前記演算処理プログラムによる前記所定の演算処理の結果、及び演算途中結果を所定フォ−マットで印刷するプリンタを備えているので、操作性、及び視認性が向上し、検証作業を効率的に行うことができ、更に試験結果を成績書に転記記録する必要がなくなるため、演算試験結果のデータ整理作業を省略できる効果がある。
【図面の簡単な説明】
【図１】この発明の実施の形態１によるパーソナルコンピュータのハードウェア構成図である。
【図２】この発明の実施の形態１による系統安定化装置の演算処理をパーソナルコンピュータに搭載したときのソフトウェア構成図である。
【図３】この発明の実施の形態１による演算試験手順を示すフローチャートである。
【図４】この発明の実施の形態１による演算起動用の操作画面例を示す図である。
【図５】この発明の実施の形態２による系統安定化装置の演算処理をパーソナルコンピュータに搭載したときのソフトウェア構成図である。
【図６】この発明の実施の形態２による演算試験手順を示すフローチャートである。
【図７】この発明の実施の形態３による系統安定化装置の演算処理をパーソナルコンピュータに搭載したときのソフトウェア構成図である。
【図８】この発明の実施の形態４による系統安定化装置の演算処理をパーソナルコンピュータに搭載したときのソフトウェア構成図である。
【図９】この発明の実施の形態４による演算試験手順を示すフローチャートである。
【図１０】この発明の実施の形態５による系統安定化装置の演算処理をパーソナルコンピュータに搭載したときのソフトウェア構成図である。
【図１１】従来の系統安定化装置のハードウェア構成図である。
【図１２】従来の系統安定化装置のソフトウェアブロック図である。
【図１３】従来の系統安定化装置の動作を示すフローチャートである。
【図１４】従来の演算試験手順を示すフローチャートである。
【符号の説明】
１　ＣＰＵ、　　　　　　　　　　２　メモリ、
３　ハードディスク、　　　　　　　４　フレキシブルディスクドライブ、
５　表示装置、　　　　　　　　　　６　画面操作用のキーボードとマウス、
７　インタフェース、　　　　　　　８　プリンタ、
Ｆ１　アナログ入力デ−タファイル、
Ｆ２　通信入力デ−タファイル、
Ｆ３　運用・保守スイッチ情報・整定デ−タファイル、
Ｆ４　表計算形式のファイル（マスタ−ファイル）、
Ｆ５　演算結果ファイル、
Ｆ６　表計算形式のファイル（試験ケ−ス保存ファイル）、
Ｆ７　系統安定化装置内部メモリからの吸い上げデ−タのファイル、
Ｍ１　電力系統のアナログ入力データの設定画面、
Ｍ２　端末装置からの通信入力データ設定画面、
Ｍ３　運用・保守スイッチ入力データ及び整定データの設定画面、
Ｍ４　演算処理実行後の演算結果表示画面、
Ｍ５　演算途中結果表示画面、
Ｐ１　成績書、　　　　　　　　　　ＰＣ　パーソナルコンピュータ、
ＰＣ１　メンテナンス装置（パーソナルコンピュータ）、
Ｓ１　市販の汎用表計算ソフトウェア、
Ｓ２　系統安定化演算処理プログラム、
Ｓ３　系統安定化装置。
【図１】
2004015937.tif 000003
【図２】
2004015937.tif 000004
【図３】
2004015937.tif 000005
【図４】
2004015937.tif 000006
【図５】
2004015937.tif 000007
【図６】
2004015937.tif 000008
【図７】
2004015937.tif 000009
【図８】
2004015937.tif 000010
【図９】
2004015937.tif 000011
【図１０】
2004015937.tif 000012
【図１１】
2004015937.tif 000013
【図１２】
2004015937.tif 000014
【図１３】
2004015937.tif 000015
【図１４】
2004015937.tif 000016